(57)【要約】【課題】  本発明は、記録液を被記録媒体に飛翔させて記録させるインクジェット記録装置に関して、記録液吐出時のインクジェット記録ヘッド内の温度分布を緩和することを目的とする。【解決手段】  本発明は、記録液を被記録媒体に飛翔させて記録させるインクジェット記録装置に関して、記録液吐出時のインクジェット記録ヘッド内の温度分布を緩和することを目的とする。【選択図】  図１
2007313787.tif 000002
【特許請求の範囲】
【請求項１】
インクジェット記録装置において、インクジェット記録ヘッドと、前記インクジェット記録ヘッドに連通する記録液を導入するための記録液供給路と、前記記録液供給路とは連通しない、前記記録液とは異なる第二の液体を導入するための第二の流路と、前記第二の流路内に、前記第二の液体を流動させるべく直接電気エネルギーを印加するための電気エネルギー印加電極とを有し、前記第二の液体が前記インクジェット記録ヘッドと、その外部との間で熱交換を行うことを特徴とするインクジェット記録装置。
【請求項２】
前記インクジェット記録装置において、前記第二の流路が前記インクジェット記録ヘッド外に配置されている請求項1に記載のインクジェット記録装置。
【請求項３】
前記記録液供給路と前記第二の流路が隣接して形成されていることを特徴とする請求項１ないしは2に記載のインクジェット記録装置。
【請求項４】
前記インクジェット記録装置において、前記インクジェット記録ヘッドは前記第二の流路に対して着脱可能であることを特徴とする請求項2または3に記載のインクジェット記録装置。
【請求項５】
前記第二の流路の少なくとも一部分が前記インクジェット記録ヘッド内に形成されていることを特徴とする請求項1に記載のインクジェット記録装置。
【請求項６】
前記インクジェット記録ヘッドは前記記録液を飛翔させて記録を行うインクジェット記録ヘッドであって、前記インクジェット記録ヘッドの外部から前記記録液を供給するための記録液流路と、前記記録液供給路とは連通しない前記第二の液体を導入するための第二の流路とを有しており、前記第二の流路内に一端が露出し、他端が前記インクジェット記録ヘッドの外部に取り出せる構成の電気エネルギー印加電極を少なくとも一対備えたことを特徴とするインクジェット記録ヘッド。
【請求項７】
前記インクジェット記録ヘッドにおいて、前記記録液供給路と前記第二の流路が流路壁を境に接するように形成されていることを特徴とする請求項6に記載のインクジェット記録ヘッド。
【請求項８】
前記インクジェット記録ヘッドにおいて、前記第二の流路内に前記第二の液体へ電気エネルギーを印加するための電気エネルギー印加電極を複数対備えたことを特徴とする請求項6に記載のインクジェット記録ヘッド。
【請求項９】
請求項6〜8のいずれかに記載のインクジェット記録ヘッドであって、電気エネルギーを熱エネルギーに変換し、前記記録液を飛翔させることを特徴とする記載のインクジェット記録ヘッド。
【請求項１０】
請求項5に記載のインクジェット記録装置であって、請求項6に記載のインクジェット記録ヘッドと、前記電気エネルギー印加電極に電圧を印加するための電源とを有し、前記第二の液体が前記第二の流路に充填されており、前記第二の液体が電気エネルギーを直接印加することにより駆動する電界駆動液体であることを特徴とする請求項1〜５のいずれかに記載のインクジェット記録装置。
【請求項１１】
前記インクジェット記録装置において、前記第二の液体循環通路内に外部と熱交換手段を有することを特徴とする請求項10に記載のインクジェット記録装置。
【請求項１２】
前記インクジェット記録装置において、前記第二の液体循環通路内に前記第二の液体の流量を制御するための流量制御手段を備えた請求項1０または11に記載のインクジェット記録装置。
【請求項１３】
前記インクジェット記録装置は前記第二の流路内に少なくとも1対の電気エネルギー印加電極を有し、各々の前記電気エネルギー印加電極に対して独立して電気エネルギーを印加するための電気エネルギー印加手段を有することを特徴とする請求項10〜12のいずれかに記載のインクジェット記録装置。
【請求項１４】
前記インクジェット記録装置は前記電気エネルギー印加電極に電気エネルギーを印加するための前記電気エネルギー印加手段を有し、前記電気エネルギー印加手段は複数種類の電圧値を出力する可変電圧型の電気エネルギー印加手段であることを特徴とする請求項10〜13のいずれかに記載のインクジェット記録装置。
【請求項１５】
前記インクジェット記録ヘッド内に温度を感知するための温度検出手段と、該温度感知手段により検出された温度に応じて前記第二の液体の駆動を制御するための第二の液体駆動制御手段とを備えたことを特徴とする請求項10〜14のいずれかに記載のインクジェット記録装置。
【請求項１６】
前記第二の液体駆動制御手段は、前記温度検出手段によって検出された温度に応じて、前記電気エネルギー印加手段の出力電圧のON/OFFを行うことを特徴とする請求項12〜15のいずれかに記載のインクジェット記録装置。
【請求項１７】
前記第二の液体用駆動制御手段は、前記温度検出手段によって検出された温度に応じて、前記電気エネルギー印加手段の出力電圧値を変化させることを特徴とする請求項12〜15のいずれかに記載のインクジェット記録装置。
【請求項１８】
前記インクジェット記録装置は、搬送されるシートの全幅にわたって同時に記録を行うことのできる長さの前記インクジェット記録ヘッドを有していることを特徴とする請求項1〜17のいずれかに記載のインクジェット記録装置。
【請求項１９】
前記インクジェット記録装置は、静電力により前記記録媒体を吸着、搬送するための搬送ベルトと、前記記録媒体を前記搬送ベルトに吸着させるための静電力発生電源とを有し、前記静電力発生電源が前記電気エネルギー印加手段とを兼ねることを特徴とする請求項10〜18のいずれかに記載のインクジェット記録装置。
【請求項２０】
前記記録液供給路内における前記記録液の供給方向とは逆方向に前記第二の流路内において前記第二の液体を駆動させることを特徴とする請求項1〜5のいずれか、もしくは請求項10〜19のいずれかに記載のインクジェット記録装置。
【請求項２１】
前記インクジェット記録ヘッドの印字デューティーをあらかじめカウントする手段を有し、前記印字デューティーに応じて前記第二の液体の流量をフィードフォワード制御することを特徴とする請求項1〜5のいずれか、もしくは請求項10〜20のいずれかに記載のインクジェット記録装置。
【発明の詳細な説明】
【技術分野】
【０００１】
本発明は、記録液を被記録媒体に飛翔させて記録させる装置に関して、記録液吐出時のインクジェット記録ヘッド内の温度分布緩和に関するものである。
【背景技術】
【０００２】
インクジェット記録装置として、従来から種々の方式が提案され、そのいくつかはすでに製品化され実用化されている。インクジェット記録装置は記録液の小液滴を被記録媒体に飛翔させて被記録媒体に付着させて記録を行うものである。この記録液は大きく分けて水系と非水系に分類できる。
【０００３】
非水系の記録液を吐出させるひとつの方法としては、常温で固体のワックス等を基剤としていわゆるホットメルトインクを用いて、常温より高温下で固体状のホットメルトインクを加熱、溶融して液体状にして飛翔させ、記録紙上で冷却固化し、記録ドットを形成するホットメルトインクジェット記録装置が知られている。
【０００４】
一方、水系の記録液を吐出させる方法のひとつとして、電気熱変換素子に駆動パルスを印加してインクを発泡させ、インク液滴を記録媒体上に吐出する熱エネルギー変換方式のインクジェット記録装置がある。熱エネルギー変換方式のインクジェット記録装置は、インクと接している空間内で電気エネルギーを熱エネルギーに変換することでインクを発泡させる方式である。図14は熱エネルギー変換方式のインクジェット記録ヘッド101を示す断面図である。インク吐出口領域105はアルミやシリコンからなる実装基板である基板107に液体供給口であるインク供給路104を化学エッチングやレーザー等の光エネルギーを用いて形成されている。さらに、基板107の一面（実装面）上に、インクを吐出するためのエネルギー（熱エネルギー）を発生するエネルギー変換素子である電気熱変換素子102を配設し、流体流路であるインク流路106の壁となる液体流路形成層である被覆樹脂層103を設けて、液体吐出口であるインク吐出口105が形成されている。電極配線を通して電気熱変換素子１０２に駆動パルスを印加してインクを発泡させることで、液路上方の吐出口105よりインク液滴が吐出される。図15は搬送ベルトに静電気力を発生させる静電ブラシと、フルラインタイプの熱エネルギー変換方式インクジェット記録ヘッド、つまり記録媒体の記録領域の全幅に渡って延在する熱エネルギー変換方式インクジェット記録ヘッドを備えたインクジェット記録装置の概要の模式図である。このようなフルラインタイプのインクジェット記録ヘッドは、いずれも、そのライン形状の特徴を生かすことによって、高解像度の画像を高速記録することが可能である。静電ブラシ310は給電ブラシ310(a)、支持部材に設けられた給電電極310(ｂ)により構成されている。給電ブラシ310(a)は搬送ベルトの被給電部に接して、電圧が搬送ベルトの被給電部に供給される。搬送された被記録材料253は静電気力により搬送ベルトに吸着される。そして、記録デバイス110Kの下を通過しはじめる位置では、所定の電圧で吸着されている。以上のような構成を備えたインクジェット記録装置が知られている。
【０００５】
また、絶縁性の液体に電圧を印加することにより液体（電界駆動液体）が流動することが知られており、このような特定の機能を有する電界駆動液体およびその液体を用いた冷却システムについてはすでに出願されている。（特開2000-222072）
【特許文献１】特開２０００−２２２０７２号公報
【発明の開示】
【発明が解決しようとする課題】
【０００６】
以上の従来技術に対して、常温で固体のワックス等を基剤としていわゆるホットメルトインクを用いて、常温より高温下で固体状のホットメルトインクを加熱、溶融して液体状にして飛翔させ、記録紙上で冷却固化し、記録ドットを形成するホットメルトインクジェット記録装置においては、高温のホットメルトインクにより圧電素子が劣化するという問題点がある。
【０００７】
一方、熱エネルギー変換方式のインクジェット記録装置においては、電気熱変換素子の熱エネルギーの一部はインク吐出の際に消費されるが、残りのエネルギーは蓄熱してインクジェット記録ヘッド内の温度が上昇し、吐出量が増大する。高デューティーで連続印字を行うとヘッド内部の温度上昇はさらに大きくなり濃度むらが大きく、印字品位劣化を招くという問題点がある。この問題を解消するため、インクを循環させるシステムを備えたインクジェット記録装置が出願されている（特開2000-255048）が、数種類のポンプとインクを循環させるための長いチューブが必要とされ、構造も複雑なものとなっている。特にフルラインタイプのインクジェット記録ヘッド、つまり記録媒体の記録領域の全幅に渡って延在するインクジェット記録ヘッドを備えたインクジェット記録装置においては上記の問題が顕著となる。
【０００８】
そこで、本発明の第一の目的は上記のような特性を有する電界駆動液体をインクジェット記録装置およびインクジェット記録ヘッドの熱交換手段として提供することである。第二の目的は、インクジェット記録装置及びインクジェット記録ヘッドにおいて、ヘッド昇温を抑制するとともに、高い印字特性を実現するインクジェット記録装置及びインクジェット記録ヘッドを提供することにある。第三の目的は、ヘッド昇温を抑制することで高耐久性を実現するインクジェット記録ヘッド及びインクジェット記録装置を提供することにある。
【課題を解決するための手段】
【０００９】
本発明によれば、電界駆動液体を循環させて熱交換を行うための電界駆動液体用流路と、電界駆動液体を循環させるための流路内部に少なくとも1対の電圧印加電極を有し、外部電源により電界駆動液体に電気エネルギーを付与することを特徴としたインクジェット記録ヘッド、あるいはインクジェット記録装置を提供する。
【００１０】
電界駆動液体を循環させる際の駆動制御項目として、印字中のインクジェット記録ヘッド内の温度検知、あるいは印字前の印字デューティー検知により電界駆動の流速や電圧On/Offを制御する制御回路を有するインクジェット記録装置を提供する。
【００１１】
さらに記録媒体の記録領域の全幅に渡って延在するようなフルラインタイプのインクジェット記録ヘッドを備えたインクジェット記録装置において、搬送ベルトの静電ブラシ用高圧電源が電界駆動液体を駆動させるための電源と共用で用いられているインクジェット記録装置を提供する。
【発明の効果】
【００１２】
本発明によれば、電界駆動液体をインク流路とは異なる流路内に循環させてインクジェット記録ヘッドと熱交換を行うことで、印字品位の高いインクジェット記録装置を提供することができる。また、電界駆動液体の循環流路構造が簡単であることから製造コストの安価な冷却システムを有するインクジェット記録装置を提供することが可能である。さらに、フルラインタイプのインクジェット記録ヘッドを有するインクジェット記録装置においては、搬送ベルトの静電ブラシ用の高圧電源と電界駆動液体に電圧をかけるための電源を共用することで、単純な装置構成となり低コスト化を実現するインクジェット記録装置を提供することができるものである。
【発明を実施するための最良の形態】
【００１３】
（実施例1）
図3は第一の実施の形態による熱エネルギー変換方式のインクジェット記録ヘッド101を示す断面図である。インク吐出口領域105はアルミからなる実装基板である基板107に液体供給口であるインク供給路104を化学エッチング法を用いて形成した。もちろん，基板107はアルミやSUS等の金属基板であってもよいし、インク供給路104はレーザー加工、機械加工等の手段を用いて形成してもよい。さらに、基板107の一面（実装面）上に、インクを吐出するためのエネルギー（熱エネルギー）を発生するエネルギー変換素子である電気熱変換素子102を配設し、流体流路であるインク流路106の壁となる液体流路形成層である被覆樹脂層103を設けて、液体吐出口であるインク吐出口105を形成した。電極配線を通して電気熱変換素子１０２に駆動パルスを印加してインクを発泡させることで、液路上方の吐出口105よりインク液滴が吐出される。
【００１４】
図2は第一の実施形態における熱エネルギー変換方式のインクジェット記録ヘッド部100の模式的斜視図である。図3に示したインクジェット記録ヘッド101とインクジェット記録ヘッド101内のインク流路106に連通したインク流路111、第二の流路800が一体型となったインクジェット記録ヘッド部100に、外部取り出し電極811を備えた配線基板812が設けられる。外部取り出し電極811は不図示の外部電源に接続されており、第二の流路800内には電界下で駆動する第二の液体802が封止されている。
【００１５】
本発明の熱交換媒体として用いる第二の液体802は印加電圧に応じて駆動し、使用温度内において絶縁性の液体である。本発明の実施に適する材料としては、ジブチルアジペート、トリブチルシトレート、ジメチルフタレート、モリアセチンなど様々あるが、本発明においては第二の液体として電気伝導度σ=1.40×10-5 S/m、粘度η=7.0×10-3 Pa・sの特性をもつデカン二酸ジブチルを用いた。
【００１６】
電界により駆動する特性を有する第二の液体802は単独あるいは組み合わせにより使用することができる。さらに、このような第二の液体802に対し、安定剤、分散剤、界面活性剤、増粘剤、防腐剤などの添加物を混合して用いてもよい。
【００１７】
図1は本発明の第一の実施形態を示す模式図である。
【００１８】
インク液室110、インク流路111、インクタンク112を有した図2に示すような熱エネルギー変換方式のインクジェット記録ヘッド部100内に、第二の液体802を循環させるための第二の流路800、電気エネルギー印加電極810、外部電源に接続するための取り出し電極811があり、第二の液体を導入し、循環させるためのリザーバ801が第二の流路800に取り付けられている。
【００１９】
本発明において、第二の液体802を循環させる流路内には少なくとも1対の電気エネルギー印加電極810がある。第二の液体をインクと同じ方向に流動させるために、第二の流路800内において正極810 (a)を流れの上流側に設け、正極810 (a)とは電気的に絶縁して負極810 (b)を流れの下流側に設ける必要がある。正極810 (a)、負極810 (b)は図1に示す通り、外部取り出し電極811を介して電源200に接続されており、電圧を印加することで第二の液体802は第二の流路800内を循環する。また、第二の流路800の形状は特に問わず、直線状であっても曲線状であってもよい。
【００２０】
インクジェット記録ヘッド部内の熱交換を行う部位においては、インク流路111と第二の流路800が熱伝導性の高い壁を境に接するように形成する。また、第二の流路800は第二の液体802によって侵食・溶解・化学反応など性質が変化することがあってはならない。このような第二の流路800を形成する素材としては、金属あるいは金属合金、樹脂系プラスチック、エンジニアリングプラスチック、セラミックス、炭素材料、それらの複合材料などが挙げられる。上記のような材料を用いて第二の流路800を形成する場合、フォトリソグラフィー工程、接着、溶接、貼り合わせなど材料に応じた種々の形成法を選ぶことができる。本実施例においてはフォトリソグラフィー工程を用いて樹脂系プラスチックにより第二の流路800を形成した。
【００２１】
図４は第一の実施形態におけるインクジェット記録装置の概要の模式図である。図の右側が給紙側、左側が排紙側で用紙は右から左へ搬送される。不図示の給紙カセットからの被記録媒体253を搬送する搬送ローラ251と、搬送ローラ251の軸線に平行な主走査方向に往復移動可能なインクジェット記録ヘッド部100と、インクジェット記録ヘッド部100により記録がなされた被記録媒体253を挟持して外部に排出する排紙ローラ250とを有する。インクジェット記録ヘッド101へのインクの供給は、不図示のチューブにより不図示のインクタンク112からなされる。チューブはシリコン等の弾性体で作られており、インクジェット記録ヘッド101の走査の支障にならないように考慮してある。インクジェット記録ヘッド部100は、イエロー（Ｙ）、マゼンタ（Ｍ）、シアン（Ｃ）の３原色または、これら３原色にブラック（Ｋ）を含めた４色のインクを吐出するものであってもよく、またインクタンク112とインクジェット記録ヘッド一体型のインクジェット記録手段であってもよい。さらにＹＭＣＫのインクを吐出する４種類の記録ヘッド101を搭載した多色一体型のインクジェット記録手段であってもよい。
【００２２】
本発明の最大の特徴は、インクジェット記録ヘッド部100内に電界駆動流体を循環させるための電気エネルギー印加電極を一対備えた第二の流路を設け、外部電源により電界駆動流体を循環し、インクジェット記録ヘッド101との間で熱交換を行うことである。実施例1に示したインクジェット記録装置において、電界駆動液体を循環させて冷却させるための機構が単純な構成であり、冷却手段を備えたインクジェット記録装置を安価な価格で提供することができる。また、モーターを使った冷却装置などと比べて機械駆動部がないため機械駆動音がしないインクジェット記録装置を提供することができる。
【００２３】
（実施例２）
図6は第二の実施形態におけるホットメルト方式のインクジェット記録装置の概要模式図である。本実施例の実施例１との相違点としては、インクジェット記録ヘッド部がホットメルト方式のインクジェット記録ヘッド部600であること、電界駆動流体を循環させるための電気エネルギー印加電極810がインクジェット記録ヘッド部600内とインクジェット記録ヘッド部600外に複数対設けられていることである。ホットメルト方式のインクジェット記録装置とは、常温で固体のワックス等を基剤としていわゆるホットメルトインクを用いて、常温より高温下で固体状のホットメルトインクを加熱、溶融して液体状にして飛翔させ、記録紙上で冷却固化し、記録ドットを形成する方式である。ホットメルトインクジェットヘッド600は、ステンレスやアルミ等からなる基板601と、駆動部である圧電素子を備え基板601上に接合された金属材料からなる振動板602、さらに、インク流路壁605と、インク流路の上部壁及びホットメルトインクの吐出口となるノズル604を形成するための樹脂層からなるノズルプレート603、さらに、圧電素子を備えた振動板に電気的信号を印加するための不図示の駆動用回路、固体インク606を加熱溶融するための不図示の熱エネルギー変換素子よりなる。インク流路壁605は、流路中のホットメルトインクを効率よく加熱することができるように、ステンレス鋼、ニッケル、アルミニウム等の金属、合金といった熱伝導率の高い材料で形成するのがよい。インク流路壁605には、その延長上にヒーター取付部分を有している。ノズルプレート603接合時においては、ノズル604とインク流路の位置合せを行っておくことが重要である。また、最適にはノズルと振動板が対向するように配置することで振動板の圧力を効率よく吐出して用いることができる。
【００２４】
図5は本発明の第二の実施形態を示すインクジェット記録装置の模式図である。実施例1の装置において、ホットメルトインクジェット方式のインクジェット記録ヘッド600を備えたことに加えて、インクジェット記録手段100内の電気エネルギー印加電極810(a)の他に、インクジェット記録ヘッド部100外の第二の流路800内に前記電気エネルギー印加電極とは別の新たな電気エネルギー印加電極810(b)を備えた構造である。
【００２５】
以上の構成により、本発明の実施例２においては複数対の電気エネルギー印加電極を用いることにより、実施例１の効果に加えて高い効率で電気エネルギーを伝えて電界駆動を行うことができる。さらに、流路内のホットメルトインクの熱が圧電素子に伝わり、圧電素子の劣化、あるいは圧電素子の変位量が変化してしまうのを防ぐことができ、高耐久なインクジェット記録ヘッドを提供することができる。
【００２６】
（実施例３）
図８ (c)は第三の実施形態におけるインクジェット記録手段（図(8a)）と第二の液体循環流路（図8 (ｂ)）の結合状態の模式図である。第三の実施例においてはインクジェット記録ヘッド101が脱着可能であることを特徴としており、電界駆動流体を循環させるための第二の流路800はインクジェット記録ヘッド部外に設けられている構造である。図8 (a)はインクジェット記録装置から取り外した状態のインクジェット記録ヘッド部100の模式図である。インクジェット記録ヘッド１０１には温度センサ（図示せず）が作り込まれており、その出力によりインクジェット記録ヘッド101の温度をモニタすることが可能である。本実施例の温度センサはシリコン製基板107上に作りこまれたダイオードである。図8 (ｂ)は第二の液体循環流路800の模式図であり、複数対の外部取り出し電極811と不図示の配線基板812を備えた第二の液体循環流路800を備える。第二の流路800を形成する素材としては、熱伝導性の高い実施例１にも記載の材料を用いることが好ましい。
【００２７】
図７は本発明の第三の実施形態を示す模式図である。実施例１の装置に温度検知手段220と印字デューティー検出手段230、電圧変調を可能とする制御回路210が新たに設けられ、第二の流路800の一部を備えたインクジェット記録ヘッド101はインクジェット記録装置から脱着が可能である。さらに第二の流路800の一部には熱交換手段240が隣接しており、インクジェット記録ヘッド部100から本発明の第二の液体802を媒体として吸熱された熱は熱交換手段240により放熱される。この熱交換手段には実施例１のインク流路111と第二の流路800が熱伝導性の高い材料を用いて形成されていたのと同様に、第二の流路800と熱交換手段240が接する部分を熱伝導性の高い材料を用いて形成することが好ましい。
【００２８】
また、インクジェット記録ヘッド部100内の電気エネルギー印加電極810(a)の他に、インクジェット記録ヘッド部100外の第二の流路800内には前記電気エネルギー印加電極とは別の新たな電気エネルギー印加電極810(b)を備えている。第二の液体の流動方向は第一の実施例とは逆となり、図７内に矢印で図示のようにインクの流れ方向とは逆方向へ流動するように電圧が印加される。
【００２９】
図９ (b)は図９ (a)における従来のインクジェット記録ヘッド101A-A'間の温度分布を示している。高デューティーで連続印字を行うとヘッド温度が上昇し、インクジェット記録ヘッド内のインクは供給口から遠くになるほどインク温度が上昇し、ヘッド内での温度むらに起因する印字品位劣化を招くことがあった。しかしながら、図１０ (a)に示すようにインクと第二の液体802の流れる方向を逆にすることで、インクジェット記録ヘッド101B-B'間のヘッド温度分布は図１０ (b)に示すような均一な温度分布にすることができた。また、温度検知手段220を用いることでより望ましい精度の高い温度制御が可能となり、濃度むらの少ない良好な印字品位を得ることができる。
【００３０】
本実施例においては温度を直接測定して制御したが、印字デューティー検出手段230を設け、印字開始前にインクジェット記録ヘッドの発熱量をあらかじめ予測することで、制御回路210により事前に温度変化に応じた電圧変調、あるいは複数対の電気エネルギー印加電極810の正負電極間にパルス波、矩形波、連続波などの形態の電圧を印加する方法をとっても同様の効果が期待できる。
【００３１】
以上の構成により、本実施例の構成は、実施例１に対して電界駆動流体による冷却機構がヘッド外に設けられたことからインクジェット記録ヘッド部100の低コスト化を実現するインクジェット記録ヘッドを提供するものである。
【００３２】
（実施例４）
図11は本発明の第四の実施形態を示すフルラインタイプのインクジェット記録ヘッド、つまり被記録媒体の記録領域の全幅に渡って延在するインクジェット記録ヘッドを備えたインクジェット記録装置の模式図である。このようなフルラインタイプの記録ヘッドは、いずれも、そのライン形状の特徴を生かすことによって、高解像度の画像を高速記録することが可能である。電界印加のための電源200はフルラインタイプのインクジェット記録装置用の搬送ベルト用静電ブラシ310（不図示）に電圧をかけるための電源をかねている。
【００３３】
図12は第四の実施形態におけるインクジェット記録装置の概要の模式図である。実施例3の装置における相違点は、流量制御手段210が流量を電圧のOn/Offにより制御する機能を備えていてもよく、実施例3の装置に加えて静電ブラシ310は給電ブラシ310(a)、支持部材に設けられた給電電極310(ｂ)により構成されている。給電ブラシ310(a)は搬送ベルト254の被給電部に接して、電圧が搬送ベルト254の被給電部に供給される。搬送された被記録媒体253は印加された静電気力によって搬送ベルト254に吸着される。そして、記録デバイス110Kの下を通過しはじめる位置では、所定の電圧で吸着されている。
【００３４】
図13は搬送ベルト254と被給電部301(a) 、301(b)の説明図である。ちょうど本体装置で真上からベルトを見た様子である。電極板301(a)と電極板301(b)で構成され、図のようにくし歯形状をしている。これらは、ベルト搬送方向と直交する方向で向かい合っていて、互いに凹部と凸部が入り込む形で搬送ベルト254に複数設置されている。搬送ベルト254の搬送方向の両側には、被給電部301(e1)、被給電部301(e2)が電極板301(a)、電極板301(b)の幅より長い距離を有して設けられており、所定の圧力で接触する導電性の給電ブラシ310が設けられている。この給電ブラシ310によって、不図示の高圧電源から被給電部301(e1)に正のバイアス電圧がかけられた交流電圧が印加されている。被給電部301(e2)は負のバイアス電圧がかけられた交流電圧が印加されている。
【００３５】
本実施例の特徴は電界駆動液体に電圧を印加するための電源と、フルラインタイプのインクジェット記録装置における静電気力を発生させるための電源を共用に用いたことである。このような構成により、本実施例は実施例３の効果に加えて、静電搬送ベルトを使用する長尺インクジェット記録ヘッドを備えたインクジェット記録装置において、高圧電源を併用し、単純な装置構成とすることでより安価なインクジェット記録装置を提供するものである。
【図面の簡単な説明】
【００３６】
【図１】本発明の第一の実施形態を示す模式図
【図２】第一の実施形態における熱エネルギー変換方式のインクジェット記録ヘッド部100の模式的斜視図
【図３】第一の実施の形態による熱エネルギー変換方式のインクジェット記録ヘッド101を示す断面図
【図４】第一の実施形態におけるインクジェット記録装置の概要の模式図
【図５】本発明の第二の実施形態を示すホットメルト方式のインクジェット記録装置の模式図
【図６】第二の実施形態におけるインクジェット記録装置の概要の模式図
【図７】本発明の第三の実施形態を示す模式図
【図８】(a)は第三の実施形態におけるインクジェット記録ヘッド部の模式図、(b)は第三の実施形態における第二の液体循環流路部の模式図、(c)は第三の実施形態におけるインクジェット記録ヘッド部と第二の液体循環流路部の結合状態の模式図
【図９】従来のインクジェット記録ヘッドの断面図（a）とその温度分布のグラフ(b)
【図１０】本発明におけるインクジェット記録ヘッドの断面図（a）とその温度分布のグラフ(b)
【図１１】本発明の第四の実施形態のインクジェット記録装置の模式図
【図１２】第四の実施形態におけるインクジェット記録装置の概要の模式図
【図１３】搬送ベルト254と被給電部301(a) 、301(b)の説明図
【図１４】熱エネルギー変換方式のインクジェット記録ヘッド101を示す断面図
【図１５】フルマルチタイプの熱エネルギー変換方式インクジェット記録装置の概要図
【符号の説明】
【００３７】
100  インクジェット記録ヘッド部
101  インクジェット記録ヘッド
102  電気熱変換素子
103  被服樹脂層
104  インク供給路
105  吐出口
110  インク液室
111  インク流路
112  インクタンク
210  制御手段
220  温度検知手段
230  印字デューティー検出手段
240  熱交換手段
250  排紙ローラ
251  搬送ローラ
252  記録媒体
253  搬送ベルト
301  被給電部
310  静電ブラシ
600  ホットメルトインクジェット方式のインクジェット記録ヘッド
601  基板
602  振動板
603  ノズルプレート
604  ノズル
605  インク流路壁
800  第二の流路
801  リザーバ
802  第二の液体
810  電気エネルギー印加電極
811  外部取り出し電極
812  配線基板
【図１】
2007313787.tif 000003
【図２】
2007313787.tif 000004
【図３】
2007313787.tif 000005
【図４】
2007313787.tif 000006
【図５】
2007313787.tif 000007
【図６】
2007313787.tif 000008
【図７】
2007313787.tif 000009
【図８】
2007313787.tif 000010
【図９】
2007313787.tif 000011
【図１０】
2007313787.tif 000012
【図１１】
2007313787.tif 000013
【図１２】
2007313787.tif 000014
【図１３】
2007313787.tif 000015
【図１４】
2007313787.tif 000016
【図１５】
2007313787.tif 000017